(57)【要約】  【課題】  コンパクトで簡易な構成であり、しかも、使い勝っての良い胸郭運動検出センサ及び生体状態監視装置を提供すること。  【解決手段】  胸郭運動検出センサ１は、伸縮性を有するベルト３と、ベルト３の一方の表面に取り付けられたセンサ本体５と、センサ本体５を覆うように設けられた保護カバー７とを備えている。センサ本体５は、長方形のフィルム状の部材であり、センサ本体５の左右の両端、即ちベルト３の長手方向（伸縮方向）の両端は、その固定部１５、１７にて、ベルト３に縫いつけられて固定されている。このセンサ本体５は、センサ本体５よりやや小径の圧電素子１９と、その上下両面をそれぞれ覆う防湿フィルム２１、２３と、圧電素子１９から伸びるリード線２５、２７とを備えている。圧電素子１９は、ＰＶＤＦフィルムの上下両面に電極３１、３３を備えたものである。【選択図】  図２
2006212329.tif 000002
【特許請求の範囲】
【請求項１】
伸縮性部材にひずみゲージを固定した構成を備え、前記伸縮性部材の伸縮に伴う前記ひずみゲージの出力に基づいて、生体の胸郭の運動を検出するセンサであって、
前記ひずみゲージの前記伸縮性部材の伸縮方向における両端側を、前記伸縮性部材に固定したことを特徴とする胸郭運動検出センサ。
【請求項２】
前記伸縮性部材が、前記生体の胸郭に巻き付け可能な帯状の部材であることを特徴とする請求項１に記載の胸郭運動検出センサ。
【請求項３】
前記ひずみゲージが、平板状の圧電素子であることを特徴とする請求項１又は２に記載の胸郭運動検出センサ。
【請求項４】
前記ひずみゲージの前記伸縮方向の両端側を、縫製、リベット止め、又は貼り付けにより固定したことを特徴とする請求項１〜３のいずれかに記載の胸郭運動検出センサ。
【請求項５】
前記伸縮性部材の伸縮方向の一端側と他端側とに、前記一端側と他端側とを重ね合わせて固定する面ファスナを備えたことを特徴とする請求項１〜４のいずれかに記載の胸郭運動検出センサ。
【請求項６】
前記伸縮性部材の伸縮方向の一端側と他端側とに、前記一端側と他端側とを結合するバックルの部材を備えたことを特徴とする請求項１〜５のいずれかに記載の胸郭運動検出センサ。
【請求項７】
前記ひずみゲージを配置した箇所に、前記伸縮性部材に加わる応力が集中する構成を設けたことを特徴とする請求項１〜６のいずれかに記載の胸郭運動検出センサ。
【請求項８】
前記応力が集中する構成が、他の箇所より前記伸縮性部材の径を小さくした構成であることを特徴とする請求項７に記載の胸郭運動検出センサ。
【請求項９】
前記応力が集中する構成が、他の箇所より伸縮性の大きな材料を用いた構成であることを特徴とする請求項７に記載の胸郭運動検出センサ。
【請求項１０】
前記ひずみゲージの表面を覆うように、導電性を有するシールド材を配置したことを特徴とする請求項１〜９のいずれかに記載の胸郭運動検出センサ。
【請求項１１】
前記ひずみゲージを保護カバーで覆うとともに、前記保護カバーを前記伸縮性部材に固定したことを特徴とする請求項１〜１０のいずれかに記載の胸郭運動検出センサ。
【請求項１２】
前記請求項１〜１１のいずれかに記載の胸郭運動検出センサの信号を用いて生体の胸郭運動の状態を監視する生体状態監視装置であって、
前記胸郭運動検出センサの信号を増幅するアンプ部と、前記信号を記憶する記憶装置を備えたことを特徴とする生体状態監視装置。
【請求項１３】
携帯可能な記憶装置を着脱可能としたことを特徴とする請求項１２に記載の生体状態監視装置。
【請求項１４】
データを外部に通信する通信機能を備えたことを特徴とする請求項１２又は１３に記載の生体状態監視装置。
【発明の詳細な説明】
【技術分野】
【０００１】
本発明は、圧電フィルム等のひずみゲージを用いて、例えば睡眠時などの呼吸の正常・異常等の生体状態を調べることができる胸郭運動検出センサ及び生体状態監視装置に関する。
【背景技術】
【０００２】
従来より、人の呼吸や心拍等の状態を調べる技術として、振動検知素子を備えた複数のセンサを敷布団の下に配置し、そのセンサの出力から、呼吸などに伴う動きを検出する技術が提案されている（特許文献１参照）。
【０００３】
また、近年では、人の体に巻いて呼吸状態を検出するベルトセンサが製造されている。このベルトセンサは、伸縮性ベルトの両側に非伸縮の布製のベルトを縫いつけ、伸縮性ベルトの表面にＵ字状に曲げた圧電フィルム（ＰＶＤＦフィルム）を配置し、圧電フィルムの一端を固定するとともに他端をストッパ部材で移動可能に規制し、それらを筒状の容器内に収容したものである。
【特許文献１】特許第３５４３３９２号公報  （第３頁  第１図）
【発明の開示】
【発明が解決しようとする課題】
【０００４】
しかしながら、特許文献１の技術では、装置が大がかりになるという問題があった。
また、ベルトセンサの場合には、Ｕ字状に曲げた圧電フィルムを筒状の容器内に収容するので、その構造が複雑になるという問題や、使い勝手が悪いという問題があった。
【０００５】
本発明は以上の点に鑑みてなされたものであり、コンパクトで簡易な構成であり、しかも、使い勝っての良い胸郭運動検出センサ及び生体状態監視装置を提供すること目的とする。
【課題を解決するための手段】
【０００６】
（１）請求項１の発明は、伸縮性部材にひずみゲージを固定した構成を備え、前記伸縮性部材の伸縮に伴う前記ひずみゲージの出力に基づいて、生体の胸郭の運動を検出するセンサであって、前記ひずみゲージの前記伸縮性部材の伸縮方向における両端側を、前記伸縮性部材に固定したことを特徴とする。
【０００７】
本発明では、ひずみゲージの（伸縮性部材の伸縮方向における）両端を、伸縮性部材に固定している。従って、例えばこのセンサを人の胸郭に巻き付けた場合には、胸郭の運動に伴って伸縮性部材が伸縮し、その伸縮に伴ってひずみゲージの両端が引っ張られて出力が変化するので、ひずみゲージの出力から胸郭の運動（従って呼吸の有無など）を検出することができる。
【０００８】
特に本発明では、ひずみゲージの前記伸縮方向における両端が、伸縮性部材に固定されているので、胸郭の運動を精度良く検出することができる。また、従来より構成が簡易化されているので、使用勝手が良く、低コストであるという利点がある。
【０００９】
尚、ひずみゲージとしては、例えば圧電素子を用いることができる。
（２）請求項２の発明は、前記伸縮性部材が、前記生体の胸郭に巻き付け可能な帯状の部材であることを特徴とする。
【００１０】
本発明は、伸縮性部材の好ましい形状を例示したものである。これにより、センサを人の胸郭に容易に巻き付けることができ、巻き付けた場合でも違和感が少ないという効果がある。
【００１１】
尚、前記伸縮性部材の材質としては、例えば天然ゴム、ウレタンゴム等の合成ゴム、繊維を編んだ帯（例えば医療用の伸縮性を有する包帯等に用いられる材料などからなる帯）、ゴム等のベルトの片側に繊維を組み合わせたもの等を採用できる。例えば、伸縮性を有するゴム等のベルトの場合、そのベルトの表側の全面等に繊維（面ファスナのループ側に対応したもの）を貼り付け、裏側の一端に面ファスナ（フック側）を貼り付けたものなどを採用できる。
【００１２】
（３）請求項３の発明は、前記ひずみゲージが、平板状の圧電素子であることを特徴とする。
本発明は、伸縮性部材の好ましい例を示したものである。これにより、センサを人の胸郭に巻き付けた場合でも、ひずみゲージが邪魔になりにくく違和感が少ないという効果がある。
【００１３】
尚、圧電素子としては、例えば板状の圧電体の両側に電極を備えたもの、特にフィルム状の圧電体の両側にそれぞれ薄膜の電極を配置したものが挙げられる。この圧電体としては、ＰＶＤＦ（ポリフッ化ビニリデン）等の有機高分子材料を用いた圧電体を採用できる。また、圧電素子の表面は、防湿フィルム等で覆うことが好ましい。
【００１４】
（４）請求項４の発明は、前記ひずみゲージの前記伸縮方向の両端側を、縫製、リベット止め、又は貼り付けにより固定したことを特徴とする。
本発明は、ひずみゲージの固定方法を例示したものである。
【００１５】
（５）請求項５の発明は、前記伸縮性部材の伸縮方向の一端側と他端側とに、前記一端側と他端側とを重ね合わせて固定する面ファスナを備えたことを特徴とする。
本発明では、面ファスナで伸縮性部材の両端側を容易に固定することができる。これにより、センサの長さを調節して、好ましい押圧力でセンサを固定することができる。
【００１６】
前記面ファスナは、面ファスナを構成するフック側の部材とその相手側のループ側の部材からなり、伸縮性部材の伸縮方向の一端側にフック側の部材を配置し、他端側にループ側の部材を配置する。尚、ここで、一端側と他端側とは、伸縮性部材の固定される一方と他方とを示しており、伸縮性部材の端部に限定されるものではない。
【００１７】
例えば伸縮性を有するゴム等のベルトの場合、そのベルトの表側の全面等に繊維（面ファスナのループ側に対応したもの）を貼り付け、裏側の一端に面ファスナ（フック側）を貼り付けたものなどを採用できる。この場合は、繊維からなる一方の面ファスナは長尺であるので、固定位置を自由に設定できるという利点がある。
【００１８】
（６）請求項６の発明は、前記伸縮性部材の伸縮方向の一端側と他端側とに、前記一端側と他端側とを結合するバックルの部材を備えたことを特徴とする。
本発明では、バックルで伸縮性部材の両端側を容易に固定することができる。このバックルの位置を所定位置に定めることにより、常に同じ押圧力でセンサを固定することができるので、測定精度が向上するという利点がある。
【００１９】
尚、バックルは、嵌合して結合する一対の部材からなり、そのバックルの部材としては、凸状の部材と（その凸状に嵌合する）凹状の部材が挙げられる。
（７）請求項７の発明は、前記ひずみゲージを配置した箇所に、前記伸縮性部材に加わる応力が集中する構成を設けたことを特徴とする。
【００２０】
本発明では、ひずみゲージが配置された箇所は、他の箇所に比べて伸縮性部材に加わる応力が集中する構成とされている。従って、伸縮性部材に応力が加わった場合には、ひずみゲージに大きな応力が加わるので、ひずみゲージから大きな出力が得られる。よって、測定精度が高くなるという効果がある。
【００２１】
（８）請求項８の発明は、前記応力が集中する構成が、他の箇所より前記伸縮性部材の径を小さくした構成であることを特徴とする。
本発明は、応力が集中する構成を例示したものである。つまり、本発明では、ひずみゲージを配置した箇所の径（例えばベルトの場合には幅）が、小さくなっているので、大きな出力が得られる。
【００２２】
（９）請求項９の発明は、前記応力が集中する構成が、他の箇所より伸縮性の大きな材料を用いた構成であることを特徴とする。
本発明は、応力が集中する構成を例示したものである。つまり、本発明では、ひずみゲージを配置した箇所が、例えばより伸びやすいゴム等により構成されているので、大きな出力が得られる。
【００２３】
（１０）請求項１０の発明は、前記ひずみゲージの表面を覆うように、導電性を有するシールド材を配置したことを特徴とする。
本発明では、導電性を有するシールド材でひずみゲージの表面を覆っているので、胸郭運動検出センサの帯電を防止できる。また、シールド材により電磁波シールドを行うことができるので、ノイズによる測定精度の低下を防止できる。
【００２４】
尚、シールド材としては、金属箔等のシールド層を採用でき、通常は、アースされる。また、ひずみゲージが板状（例えばフィルム状）の場合には、その一方の面だけでなく、両方の面をシールド材で覆うと、電磁波シールド等の効果が一層大きくなる。
【００２５】
（１１）請求項１１の発明は、前記ひずみゲージを保護カバーで覆うとともに、前記保護カバーを前記伸縮性部材に固定したことを特徴とする。
この保護カバーは、ひずみゲージ等にセンサの主要部分に、人などが直接に接触することを防止するためのものであり、例えば伸縮性部材と同様な部材を採用できる。
【００２６】
特に伸縮性部材の周囲を覆うように、保護カバーを筒状にして、その一端を伸縮性部材に固定すると、解放された他端側からひずみゲージ等をチェックすることができるので好適である。
【００２７】
（１２）請求項１２の発明は、請求項１〜１１のいずれかに記載の胸郭運動検出センサの信号を用いて生体の生体状態を監視する生体状態監視装置であって、胸郭運動検出センサの信号を増幅するアンプ部と、信号を記憶する記憶装置を備えたことを特徴とする。
【００２８】
従って、胸郭運動検出センサと生体状態監視装置とを接続することにより、呼吸の有無等の胸郭の運動を容易に検出することができる。
（１３）請求項１３の発明は、携帯可能な記憶装置を着脱可能としたことを特徴とする。
【００２９】
これにより、データの取り扱いが容易になる。尚、携帯可能な記憶装置としては、メモリカード（フラッシュカード、ＳＤカード等）やＣＤ等の各種のものを採用できる。
（１４）請求項１４の発明は、データを外部に通信する通信機能を備えたことを特徴とする。
【００３０】
これにより、データの取り扱いが容易になる。尚、通信機能としては、有線や無線（電波や赤外線等）を採用できる。
【発明を実施するための最良の形態】
【００３１】
次に、本発明を実施するための最良の形態の例（実施例）について説明する。
【実施例１】
【００３２】
ａ）まず、本実施例の胸郭運動検出センサの構成を図１〜図４を用いて説明する。
図１に示す様に、本実施例の胸郭運動検出センサ１は、伸縮性を有するベルト３と、ベルト３の一方の表面に取り付けられたセンサ本体５と、センサ本体５を覆うように設けられた保護カバー７とを備えている。
【００３３】
前記ベルト３は、長さ：１００〜１４０ｃｍ、幅：２０〜５０ｍｍ、厚み：２〜５ｍｍの例えばゴムと布からなる伸縮性及び絶縁性を有する部材であり、人の胸の部分を１巻き以上する十分な長さを備えている。
【００３４】
つまり、ベルト３は、帯状のゴム部材９の表面（センサ本体５を取り付けた表面）に帯状の繊維部材１１を貼り付けて一体化したものであり、繊維部材１１が多数のループを有する一方の面ファスナ１１として機能する。また、ベルト３の裏側の端部には、多数のフックを有する他方の面ファスナ１３が取り付けられている。
【００３５】
従って、ベルト３を人の胸に巻き付けた後に、この一対の面ファスナ１１、１３によって、ベルト３の両端等を重ね合わせて固定することができる。尚、繊維部材１１である面ファスナ１１は長尺であるので、固定位置を自由に設定できるという利点がある。
【００３６】
また、前記保護カバー７は、ベルト３と同様な伸縮性及び絶縁性を有する筒状の部材である。この保護カバー７は、ベルト３に外嵌されてセンサ本体５を覆うとともに、ベルト３の伸縮を妨げないように、保護カバー７自身の（ベルト３の長手方向の）一端側を、その固定部８にて、ベルト３に縫いつけられて固定されている。
【００３７】
更に、前記センサ本体５は、図２に示す様に、長方形のフィルム状の部材であり、センサ本体５の左右の両端、即ちベルト３の長手方向（伸縮方向）の両端は、その固定部１５、１７にて、ベルト３に縫いつけられて固定されている。
【００３８】
このセンサ本体５は、図３（図２のＡ−Ａ断面図）及び図４（分解斜視図）に示す様に、センサ本体５よりやや小径の圧電素子１９と、その上下両面をそれぞれ覆う絶縁性を有する防湿フィルム２１、２３と、圧電素子１９から伸びるリード線２５、２７（図２参照）とを備えている。
【００３９】
前記圧電素子１９は、圧電体である略長方形のＰＶＤＦフィルム２９の上下両面に、略長方形の電極３１、３３を備えたものであり、図２に示す様に、各電極３１、３３には、それぞれカシメ端子３５、３５によって、前記リード線２５、２７が固定されている。
【００４０】
尚、電極３１、３３は、Ａｇ、Ｐｔ、Ａｕ、Ｎｉ等の金属の層を、蒸着、厚膜印刷、箔を貼り付けなどにより形成したものである。
また、図４に示す様に、センサ本体３の厚み方向の両側に、例えば金属箔のような導電性を有するフィルム状のシールド材４１、４３を配置し、アースするようにしてもよい。これにより、電磁波のノイズ等を防止できるので、測定精度が向上する。
【００４１】
ｂ）次に、胸郭運動検出センサ１の使用方法を図５及び図６を用いて説明する。
胸郭運動検出センサ１を実際に使用する際には、図５に示す様に、センサ本体５が胸の前になるようにして、ベルト３を胸の周りに巻き付けて、面ファスナ１１、１３により固定する。そして、リード線２５、２７を、生体状態監視装置４５に接続する。
【００４２】
この生体状態監視装置４５は、図６に示す様に、周知のアンプ４７、Ａ／Ｄ変換器４９、ＣＰＵ５１、記憶装置（バックアップＲＡＭ等）５３、電源５５等を備えている。また、生体状態監視装置４５には、メモリカード等を着脱可能である。更に、生体状態監視装置４５からは、有線（又は無線）により、測定データ等を外部に送信可能である。
【００４３】
従って、本実施例では、人が呼吸すると、呼吸に伴う胸郭の運動により、ベルト３が伸縮するので、その伸縮に伴ってセンサ本体５の両端が引っ張られ、圧電素子１９にひずみが生ずる。そのひずみによって発生した電圧を、生体状態監視装置４５によって検出できるので、呼吸を検出することができる。
【００４４】
また、本実施例の胸郭運動検出センサ１は、フィルム状のセンサ本体５の両側、即ちベルト３の伸縮方向の両側をベルト３に固定するので、胸郭の運動を確実に検出することができる。
【００４５】
更に、本実施例の胸郭運動検出センサ１は、従来のものより構造がシンプルでコンパクトあり、その使い勝手がよいという利点がある。
尚、センサ本体５をベルト３に固定する方法としては、縫製以外に、例えばハトメなどの固定金具、接着剤や熱融着などによる接合方法を採用できる。
【実施例２】
【００４６】
次に、実施例２について説明するが、前記実施例１と同様な内容の説明は省略する。
図７（ａ）に示す様に、本実施例の胸郭運動検出センサ６１のベルト６３は、センサ本体６５の取付位置の近傍の幅が狭くなっている。
【００４７】
これにより、ベルト６３が左右に引っ張られた場合には、センサ本体６５の取付位置の近傍にて、ベルト６３にかかる応力が集中するようになっている。
従って、圧電素子６７が大きくひずむことによって大きな出力が得られるので、測定精度が向上するという利点がある。
【実施例３】
【００４８】
次に、実施例３について説明するが、前記実施例１と同様な内容の説明は省略する。
図７（ｂ）に示す様に、本実施例の胸郭運動検出センサ７１のベルト７３には、センサ本体７５の取付位置の近傍にて、開口部７７が設けられている。尚、センサ本体７５は、開口部７７をまたぐようにしてベルト７３に固定されている。
【００４９】
これにより、ベルト７３が左右に引っ張られた場合には、センサ本体７５の取付位置の近傍にて、ベルト７３にかかる応力が集中するようになっている。
従って、圧電素子７９が大きくひずむことによって大きな出力が得られるので、測定精度が向上するという利点がある。
【実施例４】
【００５０】
次に、実施例４について説明するが、前記実施例１と同様な内容の説明は省略する。
図７（ｃ）に示す様に、本実施例の胸郭運動検出センサ８１のベルト８３には、センサ本体８５の取付位置の近傍にて、センサ本体８５に沿って並行に（ベルト８３の長手方向に伸びる）短冊状の開口部８７、８８が設けられている。
【００５１】
これにより、ベルト８３が左右に引っ張られた場合には、センサ本体８５の取付位置の近傍にて、ベルト８３にかかる応力が集中するようになっている。
従って、圧電素子８９が大きくひずむことによって大きな出力が得られるので、測定精度が向上するという利点がある。
【実施例５】
【００５２】
次に、実施例５について説明するが、前記実施例１と同様な内容の説明は省略する。
図７（ｄ）に示す様に、本実施例の胸郭運動検出センサ９１のベルト９３には、センサ本体９５の取付位置の近傍にて、ベルト９３より伸縮の程度が大きな（即ち伸びやすい）帯状部材９７が取り付けられている。
【００５３】
つまり、ベルト９３は２つに分割され、その間に帯状部材９７が配置され、帯状部材９７は縫製によってベルトに固定されている。尚、センサ本体９５は、帯状部材９７をまたぐようにしてベルト９３に固定されている。
【００５４】
これにより、ベルト９３が左右に引っ張られた場合には、センサ本体９５の取付位置の近傍にて応力が集中するようになっている。
従って、圧電素子９９が大きくひずむことによってから大きな出力が得られるので、測定精度が向上するという利点がある。
【実施例６】
【００５５】
次に、実施例６について説明するが、前記実施例１と同様な内容の説明は省略する。
図８に示す様に、本実施例の胸郭運動検出センサ１０１には、そのベルト１０３の両端側にバックル１０５が取り付けられている。
【００５６】
このバックル１０５は、凸状のバックル部材１０７とバックル部材１０７が嵌合する凹状のバックル部材１０９とからなる。
従って、胸郭運動検出センサ１０１のベルト１０３を、人の胸郭に巻き付ける場合には、バックル１０５を嵌合することにより、簡単にベルト１０３の固定を行うことができる。
【００５７】
また、バックル１０５の（ベルト１０３に対する）取付位置がずれないように規制しておくと、測定対象が同一人の場合に、何度もベルト１０３を巻き付けて呼吸の測定を行う際には、常に一定の押圧力で固定することができるので、測定精度が向上するという利点がある。
【００５８】
尚、本発明は前記実施例に何ら限定されることなく、本発明の技術的範囲を逸脱しない限り、種々の態様で実施できることはいうまでもない。
【図面の簡単な説明】
【００５９】
【図１】実施例１の胸郭運動検出センサを示す説明図である。
【図２】実施例１の胸郭運動検出センサのセンサ本体近傍を示す説明図である。
【図３】図２のＡ−Ａ断面図である。
【図４】センサ本体を分解して示す説明図である。
【図５】実施例１の胸郭運動検出センサの使用方法を示す説明図である。
【図６】実施例１で用いる生体状態監視装置を示す説明図である。
【図７】実施例２〜５の胸郭運動検出センサを示す説明図である。
【図８】実施例６の胸郭運動検出センサを示す説明図である。
【符号の説明】
【００６０】
１、６１、７１、８１、９１、１０１・・・胸郭運動検出センサ
３、６３、７３、８３、９３、１０３・・・ベルト
５、６５、７５、８５、９５・・・センサ本体
１９、６７、７９、８９、９９・・・圧電素子
２９・・・圧電体（ＰＶＤＦフィルム）
３１、３３・・・電極
４５・・・生体状態監視装置
【図１】
2006212329.tif 000003
【図２】
2006212329.tif 000004
【図３】
2006212329.tif 000005
【図４】
2006212329.tif 000006
【図５】
2006212329.tif 000007
【図６】
2006212329.tif 000008
【図７】
2006212329.tif 000009
【図８】
2006212329.tif 000010